(57)【要約】【課題】閉止位置に閉止される障子と床面との間に指等が進入することを防止しつつ、コストの低減化を図ること。【解決手段】戸車４４，５４が上レール５を転動して上レール５の延在方向に沿って開閉移動する障子１０を備えた建具において、障子１０は、圧縮コイルバネＫＢにより上方に向けて付勢されて下端部が床面６から離隔した状態で開閉移動するものであり、上レール５に下方に向けて突出するよう配設され、かつ閉移動する障子１０に設けられた突起部２２，３２と接することにより圧縮コイルバネＫＢの付勢力に抗して障子１０を降下させて下端部が床面６に接した状態で所定の閉止位置に閉止させるガイド部材６０，７０を備えたものである。【選択図】図３
2014077300.tif 000002
【特許請求の範囲】
【請求項１】
戸車が上レールを転動して該上レールの延在方向に沿って開閉移動する障子を備えた建具において、
前記障子は、付勢手段により上方に向けて付勢されて下端部が床面から離隔した状態で開閉移動するものであり、
前記上レールに下方に向けて突出するよう配設されてなり、閉移動する障子に設けられた当接部と接することにより前記付勢手段の付勢力に抗して該障子を降下させて前記下端部が床面と接した状態、あるいは前記下端部と前記床面との離間距離が前記障子の開閉移動時の離間距離よりも小さい状態で前記障子を所定の閉止位置に閉止させるガイド部材を備えたことを特徴とする建具。
【請求項２】
前記ガイド部材は、前記障子を前記閉止位置に閉止させる場合に、前記当接部の一部を進入させる保持凹部が形成されて成ることを特徴とする請求項１に記載の建具。
【請求項３】
前記障子は、前記下端部における前記床面と接触可能な部位が軟質材若しくは弾性体からなる易変形部材により構成されていることを特徴とする請求項１又は請求項２に記載の建具。
【請求項４】
前記当接部は、前記障子の上端面より上方に向けて突出するよう該障子の開閉移動方向に沿って前後一対に複数設けられており、
前記ガイド部材は、前記障子を前記閉止位置に閉止させる場合に、前方側の第１当接部に接する第１ガイド部と、後方側の第２当接部に接する第２ガイド部とを備え、
前記第２ガイド部は、前記障子が開閉移動する際に前記第１当接部が通過することを許容する通過溝部が形成されて成ることを特徴とする請求項１〜３のいずれか１つに記載の建具。
【発明の詳細な説明】
【技術分野】
【０００１】
本発明は、建具に関し、より詳細には、戸車が上レールを転動して該上レールの延在方向に沿って開閉移動することにより、開口部を開閉する障子を備えた建具に関するものである。
【背景技術】
【０００２】
従来、上端部に設けられた戸車が天井に配設された上レールに載置することで吊り下げられ、かつ戸車が上レールを転動することにより該上レールの延在方向に沿って開閉移動する障子を備えた建具が知られている。この建具の障子は、開閉移動することで開口部を開閉するものであるが、施工誤差や走行不良を避けるために下端部が床面から離隔した状態で吊り下げられている。
【０００３】
そのため、上記障子が開口部を閉成する閉止位置に閉止される場合にも該障子の下端部は床面から離隔しており、下端部と床面との隙間に子供等の足の指等が入る虞れがあった。
【０００４】
そこで、上レールに凹部を設け、障子を閉止位置に閉止させる場合に戸車が該凹部に落ち込むことで、開口部を閉成する障子の下端部が床面に接するようにした建具が提案されている（例えば、特許文献１参照）。
【先行技術文献】
【特許文献】
【０００５】
【特許文献１】実公平７−２４５４８号公報
【発明の概要】
【発明が解決しようとする課題】
【０００６】
ところが、上述した特許文献１に提案されているような建具では、上レールに凹部を設けていたために、上レールに複雑な加工が必要となり、結果的にコストの増大化を招来していた。また、上述した特許文献１に提案されている建具では、障子が閉止位置から開移動した場合において障子の傾きを防止するために上記戸車とは別の副戸車が設けられており、部品点数の増加に伴うコストの増大化を招来していた。
【０００７】
本発明は、上記実情に鑑みて、閉止位置に閉止される障子と床面との間に指等が進入することを防止しつつ、コストの低減化を図ることができる建具を提供することを目的とする。
【課題を解決するための手段】
【０００８】
上記目的を達成するために、本発明に係る建具は、戸車が上レールを転動して該上レールの延在方向に沿って開閉移動する障子を備えた建具において、前記障子は、付勢手段により上方に向けて付勢されて下端部が床面から離隔した状態で開閉移動するものであり、前記上レールに下方に向けて突出するよう配設されてなり、閉移動する障子に設けられた当接部と接することにより前記付勢手段の付勢力に抗して該障子を降下させて前記下端部が床面と接した状態、あるいは前記下端部と前記床面との離間距離が前記障子の開閉移動時の離間距離よりも小さい状態で前記障子を所定の閉止位置に閉止させるガイド部材を備えたことを特徴とする。
【０００９】
この発明によれば、障子が付勢手段により上方に向けて付勢されて下端部が床面から離隔した状態で開閉移動するものであり、ガイド部材が閉移動する障子の当接部と接することにより付勢手段の付勢力に抗して障子を降下させて下端部が床面に接した状態、あるいは下端部と床面との離間距離が障子の開閉移動時の離間距離よりも小さい状態で障子を所定の閉止位置に閉止させるので、上レール自体には凹凸を設けるような複雑な加工を必要とせず、しかも障子が閉止位置に閉止されるときには床面との間に例えば子供等の足の指等が進入する虞れがない。
【００１０】
また、本発明は、上記建具において、前記ガイド部材は、前記障子を前記閉止位置に閉止させる場合に、前記当接部の一部を進入させる保持凹部が形成されて成ることを特徴とする。
【００１１】
この発明によれば、ガイド部材の保持凹部が、障子が閉止位置に閉止される場合に、当接部の一部を進入させるので、障子が閉止位置に閉止した状態を良好に保持することができる。
【００１２】
また、本発明は、上記建具において、前記障子は、前記下端部における前記床面と接触可能な部位が軟質材若しくは弾性体からなる易変形部材により構成されていることを特徴とする。
【００１３】
この発明によれば、障子の下端部における床面と接触可能な部位が軟質材若しくは弾性体からなる易変形部材により構成されているので、障子が閉止位置に閉止される場合に床面との摩擦抵抗を大きくして風等により障子がばたつくことを抑制することができる。また、障子の開閉移動時において足の指等が当たることにより負傷することを防止することができる。
【００１４】
また、本発明は、上記建具において、前記当接部は、前記障子の上端面より上方に向けて突出するよう該障子の開閉移動方向に沿って前後一対に複数設けられており、前記ガイド部材は、前記障子を前記閉止位置に閉止させる場合に、前方側の第１当接部に接する第１ガイド部と、後方側の第２当接部に接する第２ガイド部とを備え、前記第２ガイド部は、前記障子が開閉移動する際に前記第１当接部が通過することを許容する通過溝部が形成されて成ることを特徴とする。
【００１５】
この発明によれば、ガイド部材を構成する第２ガイド部には、障子が開閉移動する際に第１当接部が通過することを許容する通過溝部が形成されているので、障子の開閉移動時に第１当接部と第２ガイド部とが干渉する虞れがなく、障子の開閉移動を良好に行うことができる。
【発明の効果】
【００１６】
本発明によれば、閉止位置に閉止される障子と床面との間に指等が進入することを防止しつつ、コストの低減化を図ることができるという効果を奏する。
【図面の簡単な説明】
【００１７】
【図１】図１は、本発明の実施の形態である建具を示す外観図である。
【図２】図２は、本発明の実施の形態である建具の要部を拡大して示す拡大横断面図である。
【図３】図３は、本発明の実施の形態である建具の内部構造を示す模式図である。
【図４】図４は、図３におけるＡ−Ａ線断面図である。
【図５】図５は、図３におけるＢ−Ｂ線断面図である。
【図６】図６は、図３におけるＣ−Ｃ線断面図である。
【図７】図７は、本発明の実施の形態である建具を構成する障子が閉移動する場合を模式的に示す模式図である。
【図８】図８は、本発明の実施の形態である建具を構成する障子が閉移動する場合を模式的に示す模式図である。
【発明を実施するための形態】
【００１８】
以下に添付図面を参照して、本発明に係る建具の好適な実施の形態について詳細に説明する。
【００１９】
図１〜６は、それぞれ本発明の実施の形態である建具を示すものであり、図１は外観図、図２は拡大横断面図、図３は内部構造を示す模式図、図４は図３におけるＡ−Ａ線断面図、図５は図３におけるＢ−Ｂ線断面図、図６は図３におけるＣ−Ｃ線断面図である。ここで例示する建具は、障子１０及びガイド部材を備えて構成されている。
【００２０】
障子１０は、上フレーム部材１１、下フレーム部材１２及び左右一対の縦フレーム部材１３が四周組みされることによって構成された例えばアルミ製のフレーム枠の内部にパネル材１４が保持されたものである。かかる障子１０は、躯体に形成された開口部１を閉成するのに十分な大きさを有している。尚、図２中の符号２は、開口部１を画成する後方壁であり、符号３は、開口部１を画成する前方壁である。また以下においては、障子１０の見付け方向を前後方向とし、障子１０の見込方向を左右方向として説明する。
【００２１】
上フレーム部材１１は、前端部に第１係合ユニット２０が配設され、後端部に第２係合ユニット３０が配設されている。
【００２２】
第１係合ユニット２０は、例えば樹脂材により形成されたブロック状のものであり、後方に向けて突出する平板状の第１係止片２１が設けられている。この第１係止片２１には貫通孔２１ａが形成されており、かかる貫通孔２１ａを上端部が第１戸車ユニット４０に連結されたロッド状の軸部材４１が貫通している。この軸部材４１の下端部は係止板４２を貫通してナット４３に螺合されている。
【００２３】
第１戸車ユニット４０は、左右一対の戸車４４が前後に配置されており、それぞれが天井面４に取り付けられた上レール５に載置されている。
【００２４】
上記軸部材４１には、一端が係止板４２に係止され、他端が第１係止片２１に係止された圧縮コイルバネ（付勢手段）ＫＢが巻回されており、これにより第１係合ユニット２０と軸部材４１とは、第１係止片２１と係止板４２とが互いに離隔するよう係合している。
【００２５】
また、上記第１係合ユニット２０には、第１突起部（当接部）２２が形成されている。第１突起部２２は、第１係合ユニット２０の前方側部位、すなわち第１係止片２１を貫通する軸部材４１よりも前方側となる上端部位より上方に突出するよう設けられている。
【００２６】
第２係合ユニット３０は、例えば樹脂材により形成されたブロック状のものであり、前方に向けて突出する平板状の第２係止片３１が設けられている。この第２係止片３１には貫通孔３１ａが形成されており、かかる貫通孔３１ａを上端部が第２戸車ユニット５０に連結されたロッド状の軸部材５１が貫通している。この軸部材５１の下端部は係止板５２を貫通してナット５３に螺合されている。
【００２７】
第２戸車ユニット５０は、左右一対の戸車５４が前後に配置されており、それぞれが天井面４に取り付けられた上レール５に載置されている。
【００２８】
上記軸部材５１には、一端が係止板５２に係止され、他端が第２係止片３１に係止された圧縮コイルバネ（付勢手段）ＫＢが巻回されており、これにより第２係合ユニット３０と軸部材５１とは、第２係止片３１と係止板５２とが互いに離隔するよう係合している。
【００２９】
また、上記第２係合ユニット３０には、第２突起部（当接部）３２が形成されている。第２突起部３２は、第２係合ユニット３０の後方側部位、すなわち第２係止片３１を貫通する軸部材５１よりも後方側となる上端部位より上方に突出するよう設けられている。この第２突起部３２は、突出高さが第１突起部２２と同程度のものであり、左右幅が第１突起部２２よりも大きくなるよう形成されている。
【００３０】
下フレーム部材１２は、見付け方向（前後方向）の全域に亘って、下方に開口する下端溝部１２１が形成されているとともに、該下端溝部１２１を形成する下端面に下方に向けて突出する長尺状のゴム部材１２２が左右一対に配設されている。このゴム部材１２２は、下フレーム部材１２とともに障子１０の下端部を構成し、かつ弾性体により形成された弾性変形可能な易変形部材である。尚、本実施の形態では、ゴム部材１２２が配設されているが、本発明においては、軟質材により形成されるものであってもよい。
【００３１】
このような障子１０は、第１戸車ユニット４０及び第２戸車ユニット５０を構成する戸車４４，５４がそれぞれ上レール５に載置され、圧縮コイルバネＫＢにより第１係合ユニット２０と軸部材４１とが係合し、かつ第２係合ユニット３０と軸部材５１とが係合することにより、上レール５に吊り下げられており、しかも圧縮コイルバネＫＢの付勢力により、ゴム部材１２２が床面６から離隔した状態とされている。そして、各戸車４４，５４が上レール５を転動することにより、障子１０は、上レール５の延在方向、すなわち前後方向に沿って開閉移動可能なものである。尚、図６中の符号７は、床面６に設けられた振止部材である。この振止部材７は、下フレーム部材１２の下端溝部１２１に進入して、障子１０が開閉移動時に左右方向に沿って変位することを規制するためのものである。
【００３２】
ガイド部材は、複数（図示の例では２つ）設けられており、第１ガイド部６０と第２ガイド部７０とを有している。これら第１ガイド部６０及び第２ガイド部７０は、それぞれ例えば樹脂材により形成されている。
【００３３】
第１ガイド部６０は、一部が前方側より上レール５の前端部に挿入されることで下部が該上レール５よりも下方に向けて突出するよう配設されている。この第１ガイド部６０の下部には、後端部より前方に向かうに連れて下方に傾斜する第１傾斜面６１が形成されており、かかる第１傾斜面６１の前方側に第１保持凹部６２が形成されている。
【００３４】
第１傾斜面６１は、障子１０が開閉移動する場合に第１突起部２２の頂部２２ａと摺接する面である。第１保持凹部６２は、第１傾斜面６１に連続する第１水平面６３において下方に開口するよう設けられている。この第１保持凹部６２は、障子１０が閉移動して閉止位置に閉止される場合、すなわち障子１０の左側の縦フレーム部材１３が前方壁３に当接して該障子１０が開口部１を閉成する場合に、第１突起部２２の頂部２２ａの進入を許容して該障子１０を閉止位置に閉止された状態に保持させるものである。
【００３５】
第２ガイド部７０は、上レール５における第１ガイド部６０よりも後方側の個所において、下部が該上レール５よりも下方に向けて突出するようネジにより固定されて配設されている。この第２ガイド部７０の下部には、後端部より前方に向かうに連れて下方に傾斜する第２傾斜面７１が形成されており、かかる第２傾斜面７１の前方側に第２保持凹部７２が形成されている。
【００３６】
第２傾斜面７１は、障子１０が開閉移動する場合に第２突起部３２の頂部３２ａと摺接する面である。より詳細に説明すると、第２傾斜面７１は、障子１０が開閉移動する場合であって、第１突起部２２の頂部２２ａが第１傾斜面６１に摺接する際に第２突起部３２の頂部３２ａと摺接する面である。
【００３７】
第２保持凹部７２は、第２傾斜面７１に連続する第２水平面７３において下方に開口するよう設けられている。この第２保持凹部７２は、障子１０が閉移動して閉止位置に閉止される場合、すなわち第１突起部２２の頂部２２ａが第１保持凹部６２に進入する場合に、第２突起部３２の頂部３２ａの進入を許容して該障子１０を閉止位置に閉止された状態に保持させるものである。
【００３８】
このように第２ガイド部７０は、第１ガイド部６０が第１突起部２２と接する場合に第２突起部３２に接し、かつ第１ガイド部６０の第１保持凹部６２に第１突起部２２の頂部２２ａが進入する場合に第２保持凹部７２に第２突起部３２の頂部３２ａが進入することが可能な位置に配設してある。
【００３９】
また、この第２ガイド部７０には、図６に示すように、下方に開口する通過溝部７４が形成されている。この通過溝部７４の左右幅は、第２突起部３２の左右幅よりも小さく、かつ第１突起部２２の左右幅よりも大きく形成されており、障子１０が開閉移動する場合に、第１突起部２２が通過することを許容するものである。
【００４０】
以上のような構成を有する建具においては、障子１０が、図３に示すような開口部１を開成させた状態にある場合には、第１突起部２２及び第２突起部３２がいずれの個所にも当接しておらず、障子１０は、圧縮コイルバネＫＢにより上方に向けて付勢されて下端部が床面６から離隔した状態にある。かかる障子１０を前方に向けて閉移動させると、第１突起部２２の頂部２２ａが第１ガイド部６０の第１傾斜面６１に当接し、かつ第２突起部３２の頂部３２ａが第２ガイド部７０の第２傾斜面７１に当接する。
【００４１】
このように第１突起部２２の頂部２２ａが第１傾斜面６１に当接し、かつ第２突起部３２の頂部３２ａが第２傾斜面７１に当接した状態から障子１０を閉移動させると、図７に示すように、第１突起部２２の頂部２２ａが第１傾斜面６１を摺接し、かつ第２突起部３２の頂部３２ａが第２傾斜面７１を摺接することとなり、これら第１傾斜面６１及び第２傾斜面７１の傾斜により、障子１０は、圧縮コイルバネＫＢの付勢力に抗して降下する。
【００４２】
そして、障子１０の閉移動に伴って第１突起部２２の頂部２２ａが第１傾斜面６１の最下部に接し、かつ第２突起部３２の頂部３２ａが第２傾斜面７１に最下部に接すると、障子１０は最も降下した状態となり、下フレーム部材１２のゴム部材１２２が床面６との接触により僅かに弾性変形する。
【００４３】
その後、障子１０の閉移動により第１突起部２２の頂部２２ａが第１水平面６３と摺接し、かつ第２突起部３２の頂部３２ａが第２水平面７３と摺接し、更に障子１０が閉止位置に到達すると、図８に示すように、第１突起部２２の頂部２２ａが圧縮コイルバネＫＢの付勢力により第１保持凹部６２に進入し、かつ第２突起部３２の頂部３２ａが圧縮コイルバネＫＢの付勢力により第２保持凹部７２に進入し、障子１０は、開口部１を閉成した状態に保持される。このとき下フレーム部材１２のゴム部材１２２は、床面６に接している。
【００４４】
一方、開口部１を閉成した状態に保持される障子１０を後方に向けて開移動させると次のようになる。障子１０の開移動により第１突起部２２の頂部２２ａが第１保持凹部６２から離脱し、かつ第２突起部３２の頂部３２ａが第２保持凹部７２から離脱する。障子１０の開移動に伴って第１突起部２２の頂部２２ａが第１傾斜面６１を摺接し、かつ第２突起部３２の頂部３２ａが第２傾斜面７１を摺接すると、障子１０は、圧縮コイルバネＫＢに付勢されて上昇し、下フレーム部材１２のゴム部材１２２が床面６と離隔する。
【００４５】
その後、障子１０の開移動に伴って第１突起部２２が第１ガイド部６０から離隔し、第２突起部３２が第２ガイド部７０から離隔すると、障子１０は圧縮コイルバネＫＢにより最も上昇した状態に付勢され、かかる上昇した状態のまま後方に向けて開移動する。かかる開移動により、第１突起部２２は第２ガイド部７０に至っても該第２ガイド部７０の通過溝部７４を通過することで該第２ガイド部７０と干渉する虞れがない。
【００４６】
以上説明したように、本発明の実施の形態である建具によれば、障子１０が、圧縮コイルバネＫＢにより上方に向けて付勢されてゴム部材１２２が床面６から離隔した状態で開閉移動するものであり、第１ガイド部６０が閉移動する障子１０に設けられた第１突起部２２の頂部２２ａと接し、かつ第２ガイド部７０が該障子１０に設けられた第２突起部３２の頂部３２ａと当接することにより圧縮コイルバネＫＢの付勢力に抗して該障子１０を降下させてゴム部材１２２が床面６に接した状態で閉止位置に閉止させるので、上レール５自体には凹凸を設けるような複雑な加工を必要とせず、しかも障子１０が閉止位置に閉止されるときには床面６との間に例えば子供等の足の指等が進入する虞れがない。従って、閉止位置に閉止される障子１０と床面６との間に指等が進入することを防止しつつ、コストの低減化を図ることができる。
【００４７】
上記建具によれば、障子１０が閉止位置に閉止される場合に、第１突起部２２の頂部２２ａを第１保持凹部６２に進入させ、かつ第２突起部３２の頂部３２ａを第２保持凹部７２に進入させるので、障子１０を閉止位置に閉止させた状態に良好に保持させることができる。
【００４８】
上記建具によれば、障子１０の下フレーム部材１２にゴム部材１２２が設けられていることにより、障子１０の下端部における床面６と接触可能な部位がゴム部材１２２により構成されていることとなり、障子１０が閉止位置に閉止される場合に床面６との摩擦抵抗を大きくして風等により障子１０がばたつくことを抑制することができる。また、障子１０の開閉移動時において足の指等が当たることにより負傷することを防止することができる。
【００４９】
上記建具によれば、第２ガイド部７０に第１突起部２２の通過を許容する通過溝部７４が形成されているので、障子１０の開閉移動時に第１突起部２２と第２ガイド部７０とが干渉する虞れがなく、障子１０の開閉移動を良好に行うことができる。
【００５０】
以上、本発明の好適な実施の形態について説明したが、本発明はこれに限定されるものではなく種々の変更を行うことができる。
【００５１】
上述した実施の形態では、障子１０が閉止位置に閉止される場合には、該障子１０が開口部１を閉成していたが、本発明においては、障子は開口部の一部を閉成するもので、複数の障子がそれぞれ所定の閉止位置に閉止されることで開口部を閉成するものであっても良い。
【００５２】
上述した実施の形態では、ガイド部材が第１ガイド部６０及び第２ガイド部７０により構成されていたが、本発明においては、ガイド部材は単数であっても複数であっても良く、その数は特に限定されないが、障子に設けられる突起部と同数であることが好ましい。
【００５３】
上述した実施の形態では、付勢手段である圧縮コイルバネＫＢは軸部材４１，５１を巻回するよう設けられていたが、本発明においては、付勢手段はどのような形態で設けられていても構わない。例えば、本実施の形態にように、圧縮コイルバネＫＢのような付勢手段により上方に向けて付勢されて障子１０の下端部が床面から離隔した状態とするものはもちろんのこと、本発明においては、引張コイルバネを付勢手段として用いても良い。このように引張コイルバネを付勢手段として用いる場合には、引張コイルバネの一端を係止板（４２，５２）に接続して他端を戸車ユニット（４０，５０）に接続すれば良く、障子（１０）は引張コイルバネに吊り下げられ、該引張コイルバネがある程度伸びた状態で障子（１０）の下方移動を制限し、その状態から更に障子（１０）がガイド部材（第１ガイド部６０，第２ガイド部７０）によって下方に押し下げられることで、バネが更に伸びて障子（１０）の下端部が床面（６）に接することになる。
【００５４】
上述した実施の形態では、第１突起部２２及び第２突起部３２をガイド部材（第１ガイド部６０，第２ガイド部７０）と接する当接部として説明したが、本発明においては、当接部は、これら突起部２２，３２のように上方に向けて突出した形態に限られず、例えば障子（１０）の角部等により実現されるものであっても構わない。
【００５５】
上述した実施の形態では、障子１０が閉止位置に閉止される場合、障子１０の下端部（ゴム部材１２２）が床面６に接した状態になっていたが、本発明においては、障子（１０）が閉止位置に閉止される場合、障子（１０）の下端部と床面（６）との離間距離が障子（１０）の開閉移動時の離間距離よりも小さい状態となるようにしても良い。
【符号の説明】
【００５６】
１  開口部
２  後方壁
３  前方壁
４  天井面
５  上レール
６  床面
７  振止部材
１０  障子
１１  上フレーム部材
１２  下フレーム部材
１２１  下端溝部
１２２  ゴム部材
１３  縦フレーム部材
１４  パネル材
２０  第１係合ユニット
２１  第１係止片
２１ａ  貫通孔
２２  第１突起部
２２ａ  頂部
３０  第２係合ユニット
３１  第２係止片
３１ａ  貫通孔
３２  第２突起部
３２ａ  頂部
４０  第１戸車ユニット
４１  軸部材
４２  係止板
４３  ナット
４４  戸車
５０  第２戸車ユニット
５１  軸部材
５２  係止板
５３  ナット
５４  戸車
６０  第１ガイド部
６１  第１傾斜面
６２  第１保持凹部
６３  第１水平面
７０  第２ガイド部
７１  第２傾斜面
７２  第２保持凹部
７３  第２水平面
７４  通過溝部
ＫＢ  圧縮コイルバネ（付勢手段）
【図１】
2014077300.tif 000003
【図２】
2014077300.tif 000004
【図３】
2014077300.tif 000005
【図４】
2014077300.tif 000006
【図５】
2014077300.tif 000007
【図６】
2014077300.tif 000008
【図７】
2014077300.tif 000009
【図８】
2014077300.tif 000010